【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
ＯＳ（Operating System）上で稼動するプロセスを制御する情報処理装置であって、
第１の監視対象プロセスの識別情報を記憶する第１監視対象記憶手段と、
稼動中のプロセスの識別情報を管理するプロセス管理手段と、
稼動中のプロセスを強制終了させる強制終了手段と、
時間を計測するタイマ手段と、
タイマ起動フラグをオン・オフする起動フラグ設定手段と、
強制終了フラグをオン・オフする終了フラグ設定手段と、を有し、
前記起動フラグ設定手段は、
前記プロセス管理手段で管理されている稼動中のプロセスに、前記第１監視対象記憶手段に記憶されている第１の監視対象プロセスがある場合に、前記タイマ起動フラグがオフならば、当該タイマ起動フラグをオンに変更し、
前記タイマ手段は、
前記タイマ起動フラグがオンになると時間の計測を開始し、
前記強制終了手段は、
前記タイマ手段の計測時間が所定時間を超えた場合、あるいは、前記強制終了フラグがオンの場合に、前記プロセス管理手段で管理されている稼動中の、前記第１監視対象記憶手段に記憶されている第１の監視対象プロセスを強制終了させ、
前記終了フラグ設定手段は、
前記第１の監視対象記憶手段に記憶されている第１の監視対象プロセスが終了した場合に、前記強制終了フラグがオフならば、当該強制終了フラグをオンに変更すること
を特徴とする情報処理装置。
【請求項２】
請求項１に記載の情報処理装置であって、
前記強制終了手段により、前記第１監視対象記憶手段に記憶されている第１の監視対象プロセスが強制終了された場合に、メッセージを出力する第１のメッセージ出力手段を有すること
を特徴とする情報処理装置。
【請求項３】
請求項１又は２に記載の情報処理装置であって、
前記第１の監視対象プロセスは、
プラグイン機能を有するＷｅｂブラウザプログラムのプロセスであること
を特徴とする情報処理装置。
【請求項４】
請求項１乃至３のいずれか一項に記載の情報処理装置であって、
第２の監視対象プロセスの識別情報を記憶する第２監視対象記憶手段をさらに有し、
前記起動フラグ設定手段は、
前記プロセス管理手段で管理されている稼動中のプロセスに、前記第２監視対象記憶手段に記憶されている第２の監視対象プロセスがある場合に、前記タイマ起動フラグがオンならば、当該第２の監視対象プロセスを強制終了させること
を特徴とする情報処理装置。
【請求項５】
請求項４に記載の情報処理装置であって、
前記強制終了手段により、前記第２監視対象記憶手段に記憶されている第２の監視対象プロセスが強制終了された場合に、メッセージを出力する第２のメッセージ出力手段を有すること
を特徴とする情報処理装置。
【請求項６】
請求項４又は５に記載の情報処理装置であって、
前記第２の監視対象プロセスは、
ＲＡＭ（Random Access Memory）の内容をフラッシュＲＯＭ（Read Only Memory）に書き込むアップデートプログラムのプロセスであること
を特徴とする情報処理装置。
【請求項７】
請求項１乃至６のいずれか一項に記載の情報処理装置であって、
第３の監視対象プロセスの識別情報を記憶する第３監視対象記憶手段をさらに有し、
前記起動フラグ設定手段は、
前記第３監視対象記憶手段に記憶されている第３の監視対象プロセスが終了した場合に、前記タイマ起動フラグがオンならば、当該タイマ起動フラグをオフに変更し、
前記終了フラグ設定手段は、
前記第３監視対象記憶手段に記憶されている第３の監視対象プロセスが終了した場合に、前記強制終了フラグがオンならば、当該強制終了フラグをオフに変更すること
を特徴とする情報処理装置。
【請求項８】
請求項７に記載の情報処理装置であって、
前記第３の監視対象プロセスは、
リモートマシンのクライアントプログラムであること
を特徴とする情報処理装置。
【請求項９】
コンピュータで読取り可能なプログラムであって、
前記プログラムは、前記コンピュータを、
第１の監視対象プロセスの識別情報を記憶する第１監視対象記憶手段、
稼動中のプロセスの識別情報を管理するプロセス管理手段、
稼動中のプロセスを強制終了させる強制終了手段、
時間を計測するタイマ手段、
タイマ起動フラグをオン・オフする起動フラグ設定手段、および、
強制終了フラグをオン・オフする終了フラグ設定手段、として機能させ、
前記起動フラグ設定手段は、
前記プロセス管理手段で管理されている稼動中のプロセスに、前記第１監視対象記憶手段に記憶されている第１の監視対象プロセスがある場合に、前記タイマ起動フラグがオフならば、当該タイマ起動フラグをオンに変更し、
前記タイマ手段は、
前記タイマ起動フラグがオンになると時間の計測を開始し、
前記強制終了手段は、
前記タイマ手段の計測時間が所定時間を超えた場合、あるいは、前記強制終了フラグがオンの場合に、前記プロセス管理手段で管理されている稼動中の、前記第１監視対象記憶手段に記憶されている第１の監視対象プロセスを強制終了させ、
前記終了フラグ設定手段は、
前記第１の監視対象記憶手段に記憶されている第１の監視対象プロセスが終了した場合に、前記強制終了フラグがオフならば、当該強制終了フラグをオンに変更すること
を特徴とするコンピュータ読取り可能なプログラム。
【請求項１０】
コンピュータがＯＳ上で稼動するプロセスを制御するプロセス制御方法であって、
稼動中のプロセスに、予め設定された第１の監視対象プロセスがある場合に、タイマ起動フラグがオフならば、当該タイマ起動フラグをオンに変更し、
前記タイマ起動フラグがオンになると時間の計測を開始し、
計測時間が所定時間を超えた場合、あるいは、強制終了フラグがオンの場合に、稼動中の前記第１の監視対象プロセスを強制終了させ、
前記第１の監視対象プロセスが終了した場合に、前記強制終了フラグがオフならば、当該強制終了フラグをオンに変更すること
を特徴とするプロセス制御方法。
【請求項１１】
ネットワークを介してデータ処理装置と接続される端末であって、
前記データ処理装置を遠隔操作するための操作情報を入力する入力部と、
前記ネットワークを介して受信した前記データ処理装置の処理結果を表示する表示部と、
Ｗｅｂブラウザプログラムを記憶する記憶部と、
前記記憶部に記憶された前記Ｗｅｂブラウザプログラムの稼動を監視し、前記Ｗｅｂブラウザプログラムの稼動時間が所定時間以上になると、前記Ｗｅｂブラウザプログラムの実行を終了すると共に、所定のメッセージを前記表示部に表示させる手段と、前記データ処理装置と前記ネットワークを介して通信を行う手段とを有する制御部と、を備えたこと
を特徴とする端末。
【請求項１２】
請求項１１に記載の端末であって、
前記制御部は、前記データ処理装置との通信が終了したことを検知する手段と、該検知後に前記Ｗｅｂブラウザプログラムの稼動を所定時間許可する手段をさらに有すること
を特徴とする端末。
【請求項１３】
請求項１１または請求項１２に記載の端末であって、
前記制御部は、前記Ｗｅｂブラウザプログラムの実行を終了した後に、所定のプログラムの実行を抑止する手段をさらに有すること
を特徴とする端末。
【請求項１４】
請求項１３に記載の端末であって、
前記所定のプログラムは、アップデートプログラムであること
を特徴とする端末。
【請求項１５】
請求項８に記載の情報処理装置であって、
前記タイマ起動フラグ、前記強制終了フラグ、および、前記タイマ手段による計測値は、当該情報処理装置の再起動によりクリアされること
を特徴とする情報処理装置。